(57)【要約】【課題】  回転機構が簡単であり、且つ、軽量にすることが可能な容器を提供する。【解決手段】  本考案は、回転体が内蔵された容器に関する。本考案による容器(1)は、底部(2)と、その周りから延びる延長部(4)を有し、底部(2)は、上壁(6)と下壁(8)を有し、上壁(6)の下面(6a)及び下壁(8)の上面(8a)は互いに上下方向に離間して、軸線(10)を含む空間(12)が形成される。容器(1)は、更に、空間(12)に配置され且つ軸線(10)を中心に回転可能に支持された回転体(14)と、容器(1)を傾けたときに上面(8a)の上を自重で転がり移動可能な球(16)を有する。回転体(14)は、球(16)を転がり可能に保持する凹部(30)を有し、球(16)の転がり移動により回転体(14)を回転させる。底部(2)及び延長部(4)の少なくとも一部分は透明であり、回転体(14)を容器(1)の外部から見ることができる。【選択図】      図１
0003110986.tif 000002
【実用新案登録請求の範囲】
【請求項１】
回転体が内蔵された容器であって、
二重構造の底部と、
この底部の周りから延びる延長部と、を有し、
前記底部は、下面を含む上壁と、上面を含む下壁とを有し、前記上壁の下面及び前記下壁の上面は、互いに上下方向に離間しており、それにより、前記上壁の下面、前記下壁の上面及び前記延長部によって包囲され且つ上下方向軸線を含む空間が形成され、
更に、前記空間の中に配置され且つ前記上下方向軸線を中心に回転可能に前記上壁及び前記下壁に支持された回転体と、
前記上下方向軸線から離れた位置において前記回転体と前記下壁との間に介在し、容器を傾けたときに前記下壁の上面の上を自重で転がり移動可能な転がり部材と、を有し、
前記転がり部材の転がり移動により前記回転体を回転させるために、前記回転体は、前記転がり部材を転がり可能に保持する保持部を有し、
前記底部及び前記延長部の少なくとも一部分は透明であり、それにより、前記回転体を容器の外部から見ることができることを特徴とする容器。
【請求項２】
前記転がり部材は、球であることを特徴とする請求項１に記載の容器。
【請求項３】
前記回転体の保持部は、前記球が転がることができるように前記球の上に当接する凹部を有し、
前記回転体は、前記上壁と前記下壁との間に位置する円板状の回転体底部を含み、この回転体底部は、前記凹部を含み、
前記凹部は、前記球のてっぺんが貫通する孔を有することを特徴とする請求項２に記載の容器。
【請求項４】
前記延長部は、前記上壁から延びる内側延長部と、前記下壁から延びる外側延長部とを有し、前記内側延長部と前記外側延長部とは、前記底壁側において互いに離間し、
前記回転体は、前記上壁と前記下壁との間に位置する回転体底部と、この回転体底部から延び且つ前記内側延長部と前記外側延長部との間に位置する回転体延長部とを有することを特徴とする請求項１〜３のいずれか１項に記載の容器。
【請求項５】
前記延長部は、前記上壁から延びる内側延長部と、前記下壁から延びる外側延長部とを有し、
前記下壁及び前記外側延長部が一体に形成され、前記上壁及び前記内側延長部が一体に形成され、両者は互いに嵌め合わされていることを特徴とする請求項１〜３のいずれか１項に記載の容器。
【請求項６】
前記延長部は、前記底部の周りから上方向又は斜め上方向に延びることを特徴とする請求項１〜３のいずれか１項に記載の容器。
【考案の詳細な説明】
【技術分野】
【０００１】
本考案は、容器にかかわり、更に詳細には、回転体が内蔵された容器に関する。
【背景技術】
【０００２】
従来から、回転体が内蔵されたコップ、ペン立て等の容器が知られている。
例えば、特許文献１に開示された容器は、二重構造の底部と、底部の周りから上方向に同軸に延び且つ互いに離間した外筒及び内筒とを有している。底部は、互いに上下方向に離間した内筒底板部及び外筒底板部を有し、それらの間に間隙及びオルゴール配設空間が形成されている。内筒底板部と外筒底板部との間の間隙には、軸体と共に回転可能な中間筒底板部（回転体）が設けられ、軸体は、オルゴール配設空間内に設置されたオルゴールに連結されている。内筒と外筒の間には、中間筒底板部から上方向に延びる中間筒が配置されている。外筒及び中間筒は、透明材料で形成され、中間筒には絵柄が、内筒には背景が描かれている。
この容器において、オルゴールを作動させると、軸体を介して中間筒底板部及び中間筒が内筒及び外筒に対して回転する。それにより、例えば、内筒に描いた背景の中で中間筒に描いた動物等の絵柄を一定速度で移動させることができる。
【０００３】
また、特許文献２に開示されたコップは、透明であり、中空部を有する二重構造の底部と、底部の周りから上方向に延びる筒部を有している。中空部の内部には、電動機、減速歯車、電池、光センサ及びそれらを覆い且つ減速歯車に連結された回転表示部（回転体）が組み付けられている。
このコップにおいて、コップを持上げると、周囲の照度を光センサが感知し、電動機を作動させ、減速歯車を介して回転表示部を一定速度で回転させる。
【０００４】
【特許文献１】特開平１０−６６８５号公報（図１〜図３）
【特許文献２】特開２００３−７９５０４号公報（図２）
【考案の開示】
【考案が解決しようとする課題】
【０００５】
特許文献１に記載されている容器は、オルゴールを内蔵しているため、回転機構が複雑であると共に重くなる。また、中間筒を回転させるためには、オルゴールのねじを巻く必要がある。
また、特許文献２に記載されているコップは、電動機、減速歯車、電池等を内蔵しているため、回転機構が複雑であると共に重くなる。また、電池が切れた場合には、電池を交換する必要がある。
従って、上記特許文献に記載されている容器及びコップは、例えば、幼児等の子供が持つような容器及びコップには不向きである。
そこで、本考案の第１の目的は、回転機構が簡単であり且つ軽量にすることができる容器を提供することにある。
また、本考案の第２の目的は、回転機構が簡単且つコンパクトであり且つ軽量にすることが可能な容器を提供することにある。
【課題を解決するための手段】
【０００６】
上記第１の目的を達成するために、本考案による容器は、回転体が内蔵された容器であって、二重構造の底部と、この底部の周りから延びる延長部と、を有し、底部は、下面を含む上壁と、上面を含む下壁とを有し、上壁の下面及び前記下壁の上面は、互いに上下方向に離間しており、それにより、上壁の下面、前記下壁の上面及び前記延長部によって包囲され且つ上下方向軸線を含む空間が形成され、更に、空間の中に配置され且つ上下方向軸線を中心に回転可能に上壁及び下壁に支持された回転体と、上下方向軸線から離れた位置において回転体と下壁との間に介在し、容器を傾けたときに下壁の上面の上を自重で転がり移動可能な転がり部材と、を有し、転がり部材の転がり移動により回転体を回転させるために、回転体は、転がり部材を転がり可能に保持する保持部を有し、底部及び延長部の少なくとも一部分は透明であり、それにより、回転体を容器の外部から見ることができることを特徴としている。
このように構成された本考案による容器によれば、最初、容器がテーブル等の上に置いてあるとき、回転体は回転していない。容器を持上げる等して、容器を傾けると、転がり部材が下壁の上面の上を自重で転がり移動し、それにより、転がり部材を転がり可能に保持する回転体を押して、それを上下方向軸線を中心に回転させる。底部及び延長部の少なくとも一部分が透明であるので、回転体の回転を外部から見ることができる。
例えば、回転体にキャラクターの絵を描いておけば、子供が容器を傾けて持上げたとき、回転体と一緒にキャラクターの絵が動き始め、子供を楽しくさせることができる。また、容器の傾きに応じて回転体が回転するので、子供が手を動かしたとき、子供にとって意外な回転の仕方をさせることができる。また、転がり部材が連続的に転がり移動をするように、容器を運動させれば、回転体も連続的に回転可能である。
本考案では、底部の下壁と回転体との間に転がり部材を介在させただけであるので、回転機構が従来技術と比べて極めて簡単であり、しかも、容器を軽量にすることが可能である。
【０００７】
本考案による容器の実施形態において、好ましくは、転がり部材は、球である。
このように構成された容器では、球が全ての方向に回転できるので、簡単な回転機構で、回転体を非常にスムーズに回転させることができる。
また、好ましくは、回転体の保持部は、球が転がることができるように球の上に当接する凹部を有する。
このように構成された容器では、回転体が、上壁及び下壁だけでなく、凹部を介して球に支持されるので、回転体の倒れを防止することができ、簡単な回転機構で、回転体の回転を更にスムーズにすることができる。
【０００８】
また、好ましくは、回転体は、上壁と下壁との間に位置する円板状の回転体底部を含み、この回転体底部は、凹部を含む。
このように構成された容器では、回転体底部が円板状であるので、容器の底部の上下方向寸法を小さくして、容器をコンパクトにすることができ、上記第２の目的を達成することができる。
また、好ましくは、凹部は、球のてっぺんが貫通する孔を有する。
このように構成された容器では、回転体底部が球のてっぺんよりも低い位置にあるので、容器の底部の上下方向寸法を更に小さくして、容器を更にコンパクトにすることができる。
【０００９】
また、好ましくは、上壁は、上下方向軸線から周囲に向かって上方に湾曲する。
このように構成された容器では、底部の中央部の上下方向寸法を更に小さくして、容器を更にコンパクトにすることができる。
また、好ましくは、下壁の上面は、前記球が転がる環状凹部を有する。
このように構成された容器では、底部の中央部の上下方向寸法を更に小さくして、容器を更にコンパクトにすることができる。
【００１０】
また、本考案による容器において、好ましくは、延長部は、上壁から延びる内側延長部と、下壁から延びる外側延長部とを有し、内側延長部と外側延長部とは、底壁側において互いに離間し、回転体は、上壁と下壁との間に位置する回転体底部と、この回転体底部から延び且つ内側延長部と外側延長部との間に位置する回転体延長部とを有する。
また、本考案による容器において、好ましくは、延長部は、上壁から延びる内側延長部と、下壁から延びる外側延長部とを有し、下壁及び外側延長部が一体に形成され、上壁及び内側延長部が一体に形成され、両者は互いに嵌め合わされている。
また、本考案による容器において、好ましくは、延長部は、底部の周りから上方向又は斜め上方向に延びる。
【考案の効果】
【００１１】
本考案により、回転機構が簡単であり、しかも、軽量にすることが可能な容器を提供することができる。
また、本考案により、回転機構が簡単且つコンパクトであり、しかも、軽量にすることが可能な容器を提供することができる。
【考案を実施するための最良の形態】
【００１２】
最初に、図１を参照して、本考案による容器の第１の実施形態を説明する。図１は、本考案による容器の第１の実施形態であるコップの縦断面図である。
コップ１は、二重構造の底部２と、底部２の周りから延びる延長部４とを有している。底部２は下面６ａを含む上壁６と、上面８ａを含む下壁８とを有しており、上壁６の下面６ａ及び下壁８の上面８ａは、互いに上下方向に離間している。また、上壁６の下面６ａ、下壁８の上面８ａ及び延長部４によって包囲され且つ上下方向軸線１０を含む空間１２が形成されている。
コップ１は、更に、空間１２の中に配置され且つ上下方向軸線１０を中心に回転可能に上壁６及び下壁８に支持された回転体１４と、上下方向軸線１０から離れた位置において回転体１４と下壁８との間に介在し、コップ１を傾けたときに下壁の上面８ａの上を転がり移動可能な転がり部材である球１６とを有している。
【００１３】
底部２の上壁６及び下壁８はそれぞれ、概略的には、円板形である。上下方向に見て、上壁６は、下壁８よりも小さく構成されている。延長部４は、底部２の周りから頂部に向かって上方向に延びており、上壁６から延びる内側延長部１８と、下壁８から延びる外側延長部２０とを有している。内側延長部１８と外側延長部２０とは、底壁側において互いに離間しているが、頂部側において接合されている。外側延長部２０には、コップ１を持つための取っ手２２が設けられていてもよい。本実施形態では、下壁８、外側延長部２０及び取っ手２２が一体に形成され、上壁６及び内側延長部１８が一体に形成され、両者は互いに嵌め合わされている。また、底部２、延長部４及び取っ手２２は、透明である。
また、上壁６の下面６ａ及び下壁８の上面８ａはそれぞれ、その中心部に回転体１４を支持するための受け部２４が形成されている。受け部２４は、後述する回転体１４の軸２８を受入れる孔を有している。上壁６は、上下方向軸線１０から周囲に向かって上方に湾曲していることが好ましい。また、下壁８の上面８ａには、球１６が転がる位置に環状凹部２６が設けられていることが好ましい。
【００１４】
回転体１４は、底部２の上壁６と下壁８との間に位置する回転体底部１４ａと、この回転体底部１４ａから延び且つ内側延長部１６と外側延長部１８との間に位置する回転体延長部１４ｂとを有している。回転体底部１４ａは、円板状であり、回転体延長部１４ｂは、円筒状である。なお、円板状とは、横方向寸法が上下方向寸法よりも大きいことを意味し、必ずしも平板である必要はない。回転体底部１４ａは、上壁６及び下壁８の受け部２４の孔２４ａに受入れられる軸２８を有している。また、回転体延長部の上縁は、波形をなしている。本実施形態では、回転体１４は不透明材料で形成されている。
回転体１４の回転体底部１４ａは、球１６の転がり移動により回転体１４を回転させるために、球１６を転がり可能に保持する保持部３０を有している。本実施形態では、保持部３０は、球１６が転がることができるように球１６の上に当接する凹部３０である。凹部３０は、球１６のてっぺんが貫通する孔３２を有していることが好ましい。
コップ１を傾けたときに、球１６が自重で転がり、回転体１４を回転させるように、球１６は、回転体１４よりも比重が重い材料で形成されることが好ましい。球１６は、例えば、ステンレススチールであり、回転体１４は、例えば、ＡＢＳ樹脂等の樹脂である。
【００１５】
次に、本考案による容器の第１の実施形態であるコップの動作を説明する。
容器１を少し傾けて持つと、球１６に働く重力によって、球１６がより低い位置に向かって底部２の下壁８の上面８ａの上を転がり移動する。球１６は、回転体底部１４ａの凹部３０を介して、回転体１４を押し、それにより、回転体１４を上下方向軸線１０を中心に回転させる。底部２及び延長部４が透明であるので、回転体１４の回転移動を容器１の外部から見ることができる。
【００１６】
次に、図２を参照して、本考案による容器の第２の実施形態である皿を説明する。図２は、本考案の第２の実施形態である皿の縦断面図である。
図２に示すように、本考案の第２の実施形態である皿４０は、第１の実施形態であるコップ１の延長部４が斜め上方向に延び、回転体延長部が上方に向かって拡径する筒状であり、取っ手２２が省略されていること以外、コップ１と同様の構造を有している。従って、第１の実施形態であるコップと同様の構成要素には同じ参照符号を付し、皿４０の説明を省略する。
また、本考案の第２の実施形態である皿の動作も、第１の実施形態であるコップ１の動作と同様であるので、その説明を省略する。
本考案では、皿４０の底部２の上下方向寸法をコンパクトにすることができるので、底部２が二重構造であっても、外部から見たときの皿４０の違和感をなくすことができる。
【００１７】
以上、本考案の実施形態を説明したが、本考案は、以上の実施の形態に限定されることなく、実用新案登録請求の範囲に記載された考案の範囲内で種々の変更が可能であり、それらも本考案の範囲内に包含されるものであることはいうまでもない。
上記実施形態では、本考案による容器を、食器であるコップ１と皿４０を例に挙げて説明したけれども、容器はその他の食器であってもよいし、ペン立て等の文具等であってもよい。
上記実施形態では、回転体１４が回転体底部１４ａ及び回転体延長部１４ｂの両方を有している場合を例にあげて説明したけれども、回転体１４は、回転体底部１４ａだけを有していてもよい。また、回転体１４が回転体底部１４ａだけを有している場合、延長部４は、内側延長部１８と外側延長部２０に分かれていなくてもよい。
上記実施形態では、回転体底部１４ａが円板状である場合を例に挙げて説明したけれども、転がり部材１６によって回転可能であれば、回転体底部１４ａの形状は任意であり、例えば、多角形板状であってもよいし、上下方向に厚みがあるものであってもよいし、上下方向軸線１０に対して対称でないものであってもよい。
同様に、上記実施形態では、回転体延長部１４ｂが筒状である場合を例に挙げて説明したけれども、周方向の一部分に回転体延長部が設けられていてもよい。
上記実施形態では、コップ１又は皿４０の底部２及び延長部４が透明である場合を例にあげて説明したけれども、回転体１４をコップ１又は皿４０の外部から見ることができれば、全体が透明である必要はなく、底部２及び延長部６の少なくとも一部分が透明であってもよい。また、例えば、回転体１４を透明とし、内側延長部１８等を不透明にしてもよい。
上記実施形態では、保持部３０が凹部３０である場合を例に挙げて説明したけれども、球１６の転がり移動により回転体１４を押すことができれば、保持部３０は、単に球を受入れる貫通孔であってもよい。
上記実施形態では、転がり部材１６が球１６である場合を例にあげて説明したけれども、容器１を傾けたときに自重で転がり可能であれば、ころ等であってもよい。
【図面の簡単な説明】
【００１８】
【図１】本考案による容器の第１の実施形態であるコップの縦断面図である。
【図２】本考案による容器の第２の実施形態である皿の縦断面図である。
【符号の説明】
【００１９】
１  コップ
２  底部
４  延長部
６  上壁
６ａ  下面
８  下壁
８ａ  上面
１０  上下方向軸線
１２  空間
１４  回転体
１４ａ  回転体底部
１４ｂ  回転体延長部
１６  球
１８  内側延長部
２０  外側延長部
２６  環状凹部
３０  保持部
３２  孔
【図１】
0003110986.tif 000003
【図２】
0003110986.tif 000004